(57)【要約】【課題】コネクタ全体を小型化し、嵌合回数を減らす。【解決手段】本発明は、連結部３３を有し、この連結部３３から第１の雄端子３１が一側に突出して形成され、第２の雄端子３２が他側に突出して形成された中継バスバー３０を備え、第２の雌端子を内部に収容した雌コネクタ５０と嵌合することで第２の雄端子３２と第２の雌端子とが接続されるジョイントコネクタ１０であって、第１の雄端子３１に接続される第１の雌端子２０を内部に収容可能な雌端子収容部１４と、雌コネクタ５０の雌ハウジング５１が嵌合可能なハウジング嵌合部１３と、第１の雄端子３１が雌端子収容部１４に配されるとともに第２の雄端子３２がハウジング嵌合部１３に配されるように連結部３３を保持する中継部１２と、を一体に備えた構成としたところに特徴を有する。【選択図】図１
2014049399.tif 000002
【特許請求の範囲】
【請求項１】
連結部を有し、この連結部から第１の雄端子が一側に突出して形成され、第２の雄端子が他側に突出して形成された中継バスバーを備え、第２の雌端子を内部に収容した雌コネクタと嵌合することで前記第２の雄端子と前記第２の雌端子とが接続されるコネクタであって、
前記第１の雄端子に接続される第１の雌端子を内部に収容可能な雌端子収容部と、
前記雌コネクタの雌ハウジングが嵌合可能なハウジング嵌合部と、
前記第１の雄端子が前記雌端子収容部に配されるとともに前記第２の雄端子が前記ハウジング嵌合部に配されるように前記連結部を保持する中継部と、を一体に備えたコネクタ。
【請求項２】
前記中継バスバーは、前記連結部を前記ハウジング嵌合部から挿入して前記中継部に圧入することで前記中継部に取り付けられることを特徴とする請求項１に記載のコネクタ。
【請求項３】
前記連結部には係止突起が切り起こしによって設けられ、前記中継部には前記係止突起と係止する被係止部が設けられていることを特徴とする請求項２に記載のコネクタ。
【請求項４】
前記係止突起は、同軸に並んで配された前記第１の雄端子と前記第２の雄端子との間に配されていることを特徴とする請求項３に記載のコネクタ。
【発明の詳細な説明】
【技術分野】
【０００１】
本発明は、ジョイントコネクタに関する。
【背景技術】
【０００２】
従来、バッテリに連なる電源側ハーネスからの電力を電装部品に供給する場合に、電源側ハーネスの端末に接続された電源側コネクタと電装部品側ハーネスの端末に接続された電装部品側コネクタとを中継するジョイントコネクタとして、例えば下記特許文献１に記載のものが知られている。このジョイントコネクタは、電源側コネクタを内部に嵌合可能な電源側フード部と、電装部品側コネクタを内部に嵌合可能な電装部品側フード部と、両フード部の間に形成されたバスバー保持部とを備えて構成されている。バスバー保持部には中継バスバーが保持されており、この中継バスバーの一端側は、電源側フード部内に突出し、同他端側は、電装部品側フード部内に突出している。
【先行技術文献】
【特許文献】
【０００３】
【特許文献１】特開２００７−２２７４０４号公報
【発明の概要】
【発明が解決しようとする課題】
【０００４】
しかしながら、上記のジョイントコネクタは、電源側コネクタを電源側フード部内に嵌合させる作業と、電装部品側コネクタを電装部品側フード部内に嵌合させる作業とが必要とされ、嵌合回数が２回必要とされている。また、各フード部は、各コネクタを内部に嵌合すべく各コネクタよりも一回り大きく形成されているため、ジョイントコネクタ全体として大型化してしまう。
【０００５】
本発明は上記のような事情に基づいて完成されたものであって、コネクタ全体を小型化し、嵌合回数を減らすことを目的とする。
【課題を解決するための手段】
【０００６】
本発明は、連結部を有し、この連結部から第１の雄端子が一側に突出して形成され、第２の雄端子が他側に突出して形成された中継バスバーを備え、第２の雌端子を内部に収容した雌コネクタと嵌合することで第２の雄端子と第２の雌端子とが接続されるコネクタであって、第１の雄端子に接続される第１の雌端子を内部に収容可能な雌端子収容部と、雌コネクタの雌ハウジングが嵌合可能なハウジング嵌合部と、第１の雄端子が雌端子収容部に配されるとともに第２の雄端子がハウジング嵌合部に配されるように連結部を保持する中継部と、を一体に備えた構成としたところに特徴を有する。
【０００７】
このような構成によると、雌端子収容部とハウジング嵌合部と中継部とを一体に構成したから、コネクタの内部において予め第１の雌端子と第１の雄端子とが接続された状態にすることができる。したがって、第１の雌端子が内部に収容された別体の雌端子収容部と嵌合可能なフード部を設けなくてもよく、フード部をなくすことでコネクタ全体を小型化できる。また、別体の雌端子収容部をフード部に嵌合させる作業が不要になるため、嵌合回数を減らすことができる。
【０００８】
本発明の実施の態様として、以下の構成が好ましい。
中継バスバーは、連結部をハウジング嵌合部から挿入して中継部に圧入することで中継部に取り付けられる構成としてもよい。
このような構成によると、圧入という簡易な保持手段によって中継バスバーを中継部に保持させることができる。
【０００９】
連結部には係止突起が切り起こしによって設けられ、中継部には係止突起と係止する被係止部が設けられている構成としてもよい。
このような構成によると、係止突起を被係止部に係止させることにより、中継バスバーを中継部に強固に保持させることができる。また、係止突起を連結部の両側縁から張り出して設ける必要がなく、連結部の内部に設けることができる。したがって、中継バスバーを小型化でき、中継部も小型化できる。
【００１０】
係止突起は、同軸に並んで配された第１の雄端子と第２の雄端子との間に配されている構成としてもよい。
このような構成によると、連結部を打ち抜いて中継バスバーを複数のバスバーに分割する際に、係止突起が打ち抜かれてなくなることを回避できる。
【発明の効果】
【００１１】
本発明によれば、コネクタ全体を小型化し、嵌合回数を減らすことができる。
【図面の簡単な説明】
【００１２】
【図１】実施形態のコネクタおよび相手側コネクタの構成を示した斜視図
【図２】両コネクタの嵌合状態を相手側コネクタの背面から見た正面図
【図３】図２におけるＡ−Ａ線断面図
【図４】第１の雌端子が雌端子収容部の内部に収容される前の状態を示したコネクタの断面図
【図５】図４において第１の雌端子が雌端子収容部の内部に収容された後の状態を示したコネクタの断面図
【図６】コネクタの背面図
【図７】コネクタの正面図
【図８】中継バスバーの平面図
【図９】中継バスバーの正面図
【図１０】中継バスバーの側面図
【図１１】関連技術のコネクタおよび相手側コネクタの構成を示した斜視図
【図１２】中継バスバーブロックの平面図
【図１３】中継バスバーブロックの正面図
【図１４】中継バスバーブロックの側面図
【図１５】中継バスバーを複数のバスバーに分割した例
【発明を実施するための形態】
【００１３】
＜実施形態＞
本発明の実施形態を図１ないし図１０の図面を参照しながら説明する。本実施形態のジョイントコネクタ１０は、図１に示すように、合成樹脂製の雄ハウジング１１と、上下２段の中継バスバー３０とを備えて構成され、相手側コネクタである雌コネクタ５０が嵌合可能とされている。このジョイントコネクタ１０は、バッテリなどの電源側からの電力を電装部品に供給する場合に、電源側に接続されたハーネスと電装部品側に接続されたハーネスとを中継するコネクタである。なお、以下の説明において前後方向とはジョイントコネクタ１０と雌コネクタ５０との嵌合方向を基準とし、互いの嵌合面側を前側とする。
【００１４】
中継バスバー３０は、図８に示すように、図示左側に並設された複数の第１の雄端子３１と、図示右側に並設された複数の第２の雄端子３２と、複数の第１の雄端子３１と複数の第２の雄端子３２とを連結する連結部３３とを備えて構成されている。中継バスバー３０は、導電性のよい金属板材をプレス加工することによって形成されている。連結部３３は、金属板材を連続してプレス加工するための搬送用のキャリアとしての機能も併せ持っている。このため、連結部３３には、搬送用の孔３４が貫通して形成されている。
【００１５】
複数の第１の雄端子３１はプレス加工の搬送方向に等間隔で平行に並んで配され、連結部３３の図示左側縁から左方に突出して形成されている。一方、複数の第２の雄端子３２はプレス加工の搬送方向に等間隔で平行に並んで配され、連結部３３の図示右側縁から右方に突出して形成されている。各雄端子３１，３２の先端は、先細り形状とされている。また、複数の第１の雄端子３１とこれに対応する複数の第２の雄端子３２とは、それぞれ同軸に並んで配され、連結部３３を挟んで反対方向を向くように配されている。
【００１６】
連結部３３には、複数の係止突起３５が切り起こしによって形成されている。この係止突起３５は、プレス加工の搬送方向に等間隔で平行に並んで配されており、同軸に並んで配された第１の雄端子３１と第２の雄端子３２との間に配されている。一方、搬送用の孔３４は、プレス加工の搬送方向に関して隣り合う一対の係止突起３５の間に配されている。このため、例えば、図１５に示すように、中継バスバー３０を複数のバスバーに分割した場合、搬送用の孔３４は打ち抜かれてなくなるものの、係止突起３５は打ち抜かれずに連結部３３に残ることになる。
【００１７】
係止突起３５は、図１０に示すように、図示右側に配された係止面３６を有している。この係止面３６は、連結部３３の上面から略直角に立ち上がる垂直面とされている。一方、係止突起３５における図示左側に配された傾斜面３７は、連結部３３の上面から右斜め上方に緩やかに傾斜しており、傾斜面３７の上縁と係止面３６の上縁とは、連結部３３の上面と平行をなす水平面３８によって連結されている。
【００１８】
係止突起３５は、弾性変形可能とされている。このため、中継バスバー３０を中継部１２に圧入する際には、係止突起３５が弾性的に変形し、切り起こしに伴って形成された切り起こし孔に嵌まり込むことで、連結部３３の上面が一旦面一になる。そして、係止突起３５が中継部１２を通過すると、この係止突起３５が弾性的に復帰して中継部１２の後壁に後方から係止する。なお、本発明でいう被係止部は、中継部１２の後壁に対応している。
【００１９】
雌コネクタ５０は、横長のブロック状をなす雌ハウジング５１を有している。雌ハウジング５１は合成樹脂製であって、前後方向に貫通する複数のキャビティ５２を有している。これらのキャビティ５２は、上下２段で横方向に複数並んで配設されている。キャビティ５２には、第２の雌端子（図示せず）が収容可能とされている。第２の雌端子は、後述する第１の雌端子２０と同様な構成であり、ここではその説明を省略する。
【００２０】
雌ハウジング５１には、図３に示すように、各キャビティ５２を横切るようにしてリテーナ５３が下方から装着可能とされている。また、キャビティ５２の内壁には、片持ち状をなして前方に突出するランス５４が形成されている。キャビティ５２に収容された第２の雌端子は、リテーナ５３とランス５４の双方によって抜け止めされる。また、雌ハウジング５１の上面には、その前縁から後方に向かって片持ち状に延びるロックアーム５５が設けられている。このロックアーム５５の上面における略中央部には、ロック突起５６が上方に突出して形成されている。ロックアーム５５を弾性的に撓み変形させることでロック突起５６が下方に変位し、ロックアーム５５が弾性的に復帰することでロック突起５６が上方に変位する。
【００２１】
雄ハウジング１１は、図５に示すように、中継バスバー３０を圧入によって保持する中継部１２と、中継部１２の前側に突出して形成されたハウジング嵌合部１３と、中継部１２の後側に突出して形成された雌端子収容部１４とを備えて構成されている。この雌端子収容部１４の内部には、電線Ｗの端末に接続された第１の雌端子２０が収容される複数の収容空間１７が形成されている。なお、雄ハウジング１１の下面には、ボディに固定するためのブラケット（図示せず）を装着可能なブラケット装着部１６が設けられている。
【００２２】
ハウジング嵌合部１３は、前方に開口するフード状をなしており、その奥壁部分によって中継部１２が構成されている。中継部１２には、中継バスバー３０の連結部３３が圧入状態で保持されている。この状態では、ハウジング嵌合部１３の内部に第２の雄端子３２が前方に突出する形態で配され、中継部１２の後壁に係止突起３５が後方から係止しており、中継部１２に対して前方から挿入された中継バスバー３０が前方に抜けることを防止している。
【００２３】
複数の収容空間１７は、上下２段で横方向に複数並んで配設されている。中継部１２に中継バスバー３０の連結部３３が圧入状態で保持された状態では、収容空間１７に第１の雄端子３１が後方に突出する形態で配されている。
【００２４】
雌端子収容部１４には、図５に示すように、各収容空間１７を横切るようにしてリテーナ１５が下方から装着可能とされている。また、収容空間１７の内壁には、片持ち状をなして前方に突出するランス１８が形成されている。収容空間１７に収容された第１の雌端子２０は、リテーナ１５とランス１８の双方によって抜け止めされる。
【００２５】
第１の雌端子２０は、第１の雄端子３１が嵌合することで中継バスバー３０に接続される端子嵌合部２１と、電線Ｗの端末に圧着接続される電線接続部２２とを備えて構成されている。収容空間１７に第１の雌端子２０を後方から挿入すると、第１の雄端子３１が第１の雌端子２０に接続される。
【００２６】
本実施形態は以上のような構成であって、続いてその作用を説明する。まず、ジョイントコネクタ１０の組付手順について説明する。雄ハウジング１１に中継バスバー３０を組み付けるには、中継バスバー３０の第１の雄端子３１をハウジング嵌合部１３から中継部１２に向けて挿入し、中継部１２に予め貫通して形成された圧入孔１９（図７参照）に第１の雄端子３１と連結部３３を圧入していく。
【００２７】
圧入孔１９は、中継バスバー３０の板厚よりもやや小さめの高さ寸法を有し、かつ、中継バスバー３０の幅寸法よりもやや小さめの幅寸法を有している。したがって、圧入孔１９に中継バスバー３０を圧入していくと、中継バスバー３０がセンタリングされる。第１の雄端子３１が圧入孔１９に圧入された後、連結部３３を圧入孔１９に圧入していくと、係止突起３５が圧入孔１９の内壁によって切り起こし孔に嵌まり込んだ状態となる。さらに、連結部３３を圧入孔１９に圧入していき、係止突起３５が圧入孔１９を通過すると、切り起こし孔から弾性的に復帰して中継部１２の後壁に後方から係止した状態となる。
【００２８】
次に、リテーナ１５を雌端子収容部１４に下方から組み付け、図４に示す仮係止状態に保持させる。仮係止状態では、リテーナ１５の開口部と収容空間１７が同じ大きさで同軸に配されるため、第１の雌端子２０の収容空間１７への挿入動作が許容される。電線Ｗの端末に接続された第１の雌端子２０が収容空間１７に後方から挿入されると、図５に示すように、第１の雌端子２０がランス１８によって後方から係止され、第１の雌端子２０が収容空間１７に保持される。さらに、リテーナ１５を本係止位置に押し込むと、第１の雌端子２０がリテーナ１５によっても後方から係止され、第１の雌端子２０がランス１８とリテーナ１５によって二重係止された状態で収容空間１７に保持される。
【００２９】
次に、第２の雌端子を内部に収容した雌コネクタ５０をハウジング嵌合部１３の内部に嵌合させると、第２の雄端子３２が第２の雌端子に嵌合して接続される。これと同時に、ロックアーム５５のロック突起５６がハウジング嵌合部１３の内面に形成されたロック受け部２３に係止して両コネクタ１０，５０が嵌合状態にロックされる。これにより、電源側に接続されたハーネスと電装部品側に接続されたハーネスとが中継接続され、バッテリなどの電源側からの電力が電装部品に供給される。
【００３０】
以上のように本実施形態では、雌端子収容部１４とハウジング嵌合部１３と中継部１２とを一体に構成したから、ジョイントコネクタ１０の内部において予め第１の雌端子２０と第１の雄端子３１とが接続された状態にすることができる。したがって、第１の雌端子２０が内部に収容された別体の雌端子収容部と嵌合可能なフード部を設けなくてもよく、フード部をなくすことでジョイントコネクタ１０全体を小型化できる。また、別体の雌端子収容部をフード部に嵌合させる作業が不要になるため、嵌合回数を減らすことができる。
【００３１】
中継バスバー３０は、連結部３３をハウジング嵌合部１３から挿入して中継部１２に圧入することで中継部１２に取り付けられる構成としてもよい。このような構成によると、圧入という簡易な保持手段によって中継バスバー３０を中継部１２に保持させることができる。
【００３２】
連結部３３には係止突起３５が切り起こしによって設けられ、中継部１２には係止突起３５と係止する被係止部が設けられている構成としてもよい。このような構成によると、係止突起３５を被係止部に係止させることにより、中継バスバー３０を中継部１２に強固に保持させることができる。また、係止突起を連結部３３の両側縁から張り出して設ける必要がなく、連結部３３の内部に設けることができる。したがって、中継バスバー３０を小型化でき、中継部１２も小型化できる。
【００３３】
係止突起３５は、同軸に並んで配された第１の雄端子３１と第２の雄端子３２との間に配されている構成としてもよい。このような構成によると、連結部３３を打ち抜いて中継バスバー３０を複数のバスバーに分割する際に、係止突起３５が打ち抜かれてなくなることを回避できる。
【００３４】
＜関連技術＞
次に、本発明の関連技術を図１１ないし図１４の図面を参照しながら説明する。本関連技術は、実施形態における中継バスバー３０の構成を一部変更したものであって、実施形態と共通する構成、作用、および効果については重複するため、その説明を省略する。また、実施形態と同じ構成については、同一の符号を用いるものとする。
【００３５】
従来、バッテリに連なる電源側ハーネスからの電力を電装部品に供給する場合に、電源側ハーネスの端末に接続された電源側コネクタと電装部品側ハーネスの端末に接続された電装部品側コネクタとを中継するジョイントコネクタとして、例えば特開２００７−２２７４０４号公報に記載のものが知られている。このジョイントコネクタは、電源側コネクタを内部に嵌合可能な電源側フード部と、電装部品側コネクタを内部に嵌合可能な電装部品側フード部と、両フード部の間に形成されたバスバー保持部とを備えて構成されている。バスバー保持部には中継バスバーが保持されており、この中継バスバーの一端側は、電源側フード部内に突出し、同他端側は、電装部品側フード部内に突出している。
【００３６】
しかしながら、上記のジョイントコネクタでは、メンテナンスなどの理由により電源側コネクタや電装部品側コネクタを交換する場合があり、交換したコネクタが正しくフード部に嵌合したか否かを確かめるべくコネクタの前方から目視で検査しようにも、バスバー保持部が邪魔になって検査することができないという問題があった。また、コネクタの内部に装着された端子が半挿入状態か否かを確かめるべくコネクタの前方から治具を挿入しようにも、バスバー保持部が邪魔になって治具を挿入することができないという不具合があった。
【００３７】
そこで、本関連技術のジョイントコネクタ６０は、図１１に示すように、雄ハウジング６１と、バスバーブロック７０とを備え、雄ハウジング６１は、雌コネクタ５０が内部に嵌合可能なハウジング嵌合部６２と、第１の雌端子を収容可能な雌端子収容部６３とを備えて構成され、バスバーブロック７０は、中継バスバー３０と、この中継バスバー３０と一体に成形された中継部７１とを備えて構成され、中継部７１に、バスバーブロック７０を雄ハウジング６１に保持させるハウジングロック部７２を設けた構成としたところに特徴を有する。
【００３８】
このような構成によると、雌端子収容部６３の内部に雌端子を挿入した後に、この雌端子が半挿入状態か否かを確かめるべく雌端子の前方から治具を挿入するなどして検査することができる。そして、雌端子が正規に挿入されていることを確認した後に、バスバーブロック７０を雄ハウジング６１に組み付けることで、雄端子と雌端子を接続させることができる。
【００３９】
バスバーブロック７０は、バスバーブロック７０を雄ハウジング６１から離脱させる際にその離脱方向に押し込むことでハウジングロック部７２によるロックを解除可能な押込部７３を備えている構成としてもよい。このような構成によると、押込部７３を押し込むことによってハウジングロック部７２によるロックを解除し、バスバーブロック７０を雄ハウジング６１から容易に離脱させることができる。
【００４０】
雄ハウジング６１には、バスバーブロック７０が雄ハウジング６１に組み付けられた状態において押込部７３を外部に臨ませる開口部６４が設けられている構成としてもよい。このような構成によると、開口部６４から外部に臨んだ押込部７３を目視することでバスバーブロック７０が組み付けられているか否かを知ることができる。
【００４１】
ハウジングロック部７２は押込部７３に設けられており、押込部７３を開口部６４に対して圧入状態で組み付けることでバスバーブロック７０が雄ハウジング６１に保持される構成としてもよい。このような構成によると、ハウジングロック部７２を簡易に設けることができる。また、ハウジングロック部７２と雄ハウジング６１との係止構造が不要になるため、開口部６４にロック構造を設けなくてもよい。
【００４２】
本関連技術のジョイントコネクタ６０は、図１１に示すように、合成樹脂製の雄ハウジング６１と、バスバーブロック７０とを備えている。この雄ハウジング６１は、雌コネクタ５０が内部に嵌合可能なハウジング嵌合部６２と、雌端子が内部に収容される雌端子収容部６３とを備えて構成されている。一方、バスバーブロック７０は、図１１に示すように、上下２段の中継バスバー３０を中継部７１によって一体に成形したものである。
【００４３】
中継部７１は図１２〜図１４に示すように横長のブロック状をなし、中継バスバー３０を圧入可能な圧入孔７４を備えている。圧入孔７４は、中継バスバー３０の板厚よりもやや小さめの高さ寸法を有し、かつ、中継バスバー３０の幅寸法よりもやや小さめの幅寸法を有している。したがって、圧入孔７４に中継バスバー３０を圧入していくと、中継バスバー３０がセンタリングされるとともに、中継部７１に保持される。
【００４４】
中継部７１の上面には、押込部７３が上方に突出して形成されている。この押込部７３の左右両側面には、ハウジングロック部７２が一つずつ形成されている。これらのハウジングロック部７２は、図１２に示すように、いずれもセミロック形状とされており、図示左側の傾斜面と図示右側の傾斜面とが左右対称をなすように配されている。押込部７３の上面における後端縁は丸みを帯びており、押込部７３を指で押し込む際に押しやすいようになっている。
【００４５】
一方、ハウジング嵌合部６２の奥壁には、押込部７３と一対のハウジングロック部７２が収容される開口部６４が形成されている。この開口部６４は、前後方向に貫通する形態をなしている。バスバーブロック７０をハウジング嵌合部６２から挿入していくと、押込部７３が開口部６４に収容される。このとき、一対のハウジングロック部７２が開口部６４の内壁に押圧されることで、押込部７３が開口部６４に保持される。すなわち、押込部７３を開口部６４に対して圧入状態で組み付けることでバスバーブロック７０が雄ハウジング６１に保持される。
【００４６】
バスバーブロック７０が雄ハウジング６１に保持された状態では、押込部７３が開口部６４から外部に臨んでおり、バスバーブロック７０が雄ハウジング６１に装着されているか否かを容易に確認することができる。
【００４７】
続いて、ジョイントコネクタ６０の組付手順について説明する。まず、雌端子収容部６３の内部に雌端子を後方から挿入し、ランスとリテーナによって雌端子を抜け止め状態で雌端子収容部６３の内部に収容する。全ての雌端子を雌端子収容部６３に収容した後、バスバーブロック７０をハウジング嵌合部６２から装着する。これにより、雌端子収容部６３の内部に収容された雌端子と、バスバーブロック７０の中継バスバー３０とが接続される。次に、雌コネクタ５０をハウジング嵌合部６２に嵌合させると、雌コネクタ５０の雌端子と中継バスバー３０とが接続され、ロックアーム５５によって両コネクタ５０，６０が嵌合状態にロックされる。
【００４８】
次に、メンテナンスなどの理由で雌端子収容部６３の内部の雌端子を交換する場合について説明する。まず、ロックアーム５５を解除させて両コネクタ５０，６０を離脱させた後に、押込部７３を指で押してバスバーブロック７０を雄ハウジング６１から離脱させる。そして、リテーナを本係止位置から仮係止位置へ移動させ、治具などを用いてランスを撓ませた状態で古い雌端子を雌端子収容部６３から離脱させる。次に、新しい雌端子を雌端子収容部６３に後方から挿入し、ランスで係止させた後、リテーナを仮係止位置から本係止位置へ移動させる。ここで、ハウジング嵌合部６２から検査治具などを挿入して正規の装着位置に雌端子が装着されているか否かを検査することができる。新しい雌端子が正規の装着位置に装着されていることを確認した後、バスバーブロック７０をハウジング嵌合部６２から装着する。このようにして雌端子を正しく交換することができる。
【００４９】
＜他の実施形態＞
本発明は上記記述及び図面によって説明した実施形態に限定されるものではなく、例えば次のような実施形態も本発明の技術的範囲に含まれる。
（１）上記実施形態では、ハウジング嵌合部１３の内部に雌ハウジング５１が嵌合可能なものを例示しているものの、本発明によると、ハウジング嵌合部の外部に雌ハウジングが嵌合可能なものとしてもよい。
【００５０】
（２）上記実施形態では、中継バスバー３０が圧入によって中継部１２に保持されているものの、本発明によると、中継バスバー３０をインサート成形によって中継部と一体に成形してもよい。
【００５１】
（３）上記実施形態では、係止突起３５を切り起こしによって形成しているものの、本発明によると、係止突起を叩き出しによって形成してもよい。
【００５２】
（４）上記実施形態では、打ち抜き加工によって打ち抜かれない位置に係止突起を形成しているものの、本発明によると、係止突起の位置は問わない。
【符号の説明】
【００５３】
１０…ジョイントコネクタ
１２…中継部
１３…ハウジング嵌合部
１４…雌端子収容部
２０…第１の雌端子
３０…中継バスバー
３１…第１の雄端子
３２…第２の雄端子
３３…連結部
３５…係止突起
５０…雌コネクタ（相手側コネクタ）
５１…雌ハウジング
【図１】
2014049399.tif 000003
【図２】
2014049399.tif 000004
【図３】
2014049399.tif 000005
【図４】
2014049399.tif 000006
【図５】
2014049399.tif 000007
【図６】
2014049399.tif 000008
【図７】
2014049399.tif 000009
【図８】
2014049399.tif 000010
【図９】
2014049399.tif 000011
【図１０】
2014049399.tif 000012
【図１１】
2014049399.tif 000013
【図１２】
2014049399.tif 000014
【図１３】
2014049399.tif 000015
【図１４】
2014049399.tif 000016
【図１５】
2014049399.tif 000017